(57)【要約】【課題】  物理的な表示領域の大きさを様々に調整して拡張することができ、表示パネルを畳んだままの状態でもデータの表示が可能であって、表示領域を拡張した際に無駄な空白が生じにくい表示装置を提供すること。【解決手段】  第一の表示パネル８と第二の表示パネル９の表示面を外側に向けて配備し、両者が完全に重合した状態では手前に位置する第一の表示パネル８にデータを表示する。また、第一の表示パネル８をスライド可能に装着し、第一の表示パネル８をスライドさせて第二の表示パネル９に対する重合位置を調整することで、物理的な表示領域の大きさ、つまり、目視可能な表示パネルの総面積を様々に調整して拡張する。【選択図】図１
2006189590.tif 000002
【特許請求の範囲】
【請求項１】
複数の表示パネルをデータの表示領域として利用するようにした表示装置において、
前記表示装置の本体に、表示面を外側に向けた第一の表示パネルと第二の表示パネルを厚み方向に重合して配備し、少なくとも一方の表示パネルが前記表示装置の本体に対してスライド可能に装着されていることを特徴とする表示装置。
【請求項２】
少なくとも、前記一方の表示パネルが他方の表示パネルに完全に重合する位置と前記一方の表示パネルが前記他方の表示パネルから完全に分離する位置とに前記一方の表示パネルを選択的に位置決め可能な位置決め手段と、
前記他方の表示パネルに対する前記一方の表示パネルの相対位置を検知する位置検知手段と、
前記位置検知手段の検知結果に基き、前記一方の表示パネルが前記他方の表示パネルに完全に重合した状態では手前に位置する表示パネルのみに対して表示制御を行う一方、前記一方の表示パネルが前記他方の表示パネルから完全に分離した状態では前記一方の表示パネルと前記他方の表示パネルに対して独立的に表示制御を行う表示制御手段を備えたことを特徴とする請求項１記載の表示装置。
【請求項３】
前記位置決め手段は、前記一方の表示パネルが前記他方の表示パネルと部分的に重合する位置で前記一方の表示パネルを任意に位置決めする位置決め機能を有し、
前記表示制御手段は、前記位置検知手段の検知結果に基き、前記手前に位置する表示パネルおよび該手前に位置する表示パネルと重合しない部分の表示パネルの表示領域を複合して表示制御を行う縦横比調整機能を備えたことを特徴とする請求項２記載の表示装置。
【請求項４】
前記表示制御手段が双方向通信可能な情報処理装置と接続され、前記位置検知手段の検知結果に基き、前記一方の表示パネルが前記他方の表示パネルから完全に分離した際に前記一方の表示パネルと前記他方の表示パネルの何れか一方に送信データを表示し、もう一方に受信データを表示するように構成されていることを特徴とする請求項２または請求項３記載の表示装置。
【請求項５】
前記情報処理装置が携帯電話であって、前記第一の表示パネルと前記第二の表示パネルが前記携帯電話の表示手段として前記携帯電話に一体的に組み込まれていることを特徴とする請求項４記載の表示装置。
【請求項６】
前記位置決め手段は、前記他方の表示パネルに対する前記一方の表示パネルの重合位置を設定するための重合位置設定手段と、前記一方の表示パネルが他方の表示パネルに完全に重合する初期位置に前記一方の表示パネルを保持するロック手段と、前記ロック手段が解除された段階で前記重合位置設定手段により設定された重合位置まで前記一方の表示パネルを移動させる付勢手段とによって構成されていることを特徴とする請求項２，請求項３，請求項４または請求項５記載の表示装置。
【請求項７】
前記第一の表示パネルと第二の表示パネルが液晶表示器によって構成されていることを特徴とする請求項１，請求項２，請求項３，請求項４，請求項５または請求項６記載の表示装置。
【発明の詳細な説明】
【技術分野】
【０００１】
本発明は、複数の表示パネルをデータの表示領域として利用するようにした表示装置の改良に関する。
【背景技術】
【０００２】
複数の表示パネルをデータの表示領域として利用するようにした表示装置としては、例えば、複数の表示パネルを併用してパーソナルコンピュータのデスクトップ画面を拡張するようにしたもの、あるいは、単一の表示データを複数の表示パネルに並列的に出力するようにしたもの（ミラーリング）等が公知である。これらのものは専らパーソナルコンピュータのオペレーティングシステムやアプリケーションソフトを利用して機能を実現したもので、表示装置自体は通常のＣＲＴモニタや液晶ディスプレイ等を寄せ集めたものに過ぎない。
【０００３】
表示装置自体の構造に関する改良技術としては、２枚のＬＣＤパネルの表示面を対向させてヒンジを介して開閉自在に枢着し、これらのＬＣＤパネルを展開することでデータの表示領域を拡張するように構成した携帯型情報端末装置が特許文献１として既に提案されている。この携帯型情報端末装置の特徴は、ＬＣＤパネルを展開した際に２枚のＬＣＤパネルの枢着部に生じる間隙を一方のＬＣＤパネルのスライド動作によって解消し、これら２枚のＬＣＤパネルからなる表示領域を実質的に一体の表示領域として表示制御を行う点にある。
【０００４】
このように、特許文献１に記載された携帯型情報端末装置では、２枚のＬＣＤパネルを展開した状態でデータ表示を行うことを前提としているが、必ずしも、２枚のＬＣＤパネルを展開した状態がデータの表示に適しているとは言えず、拡張された表示領域が有効に利用されない不都合が生じる場合がある。例えば、縦長のＬＣＤパネルの長辺同士を枢着して表示領域を構成した場合、ＬＣＤパネルの展開によって更に広い横長の表示領域か得られるが、表示データが縦長の画像であったりすると、画像の表示スケールが表示領域の縦の長さによって規制されるので、展開したＬＣＤパネルの横幅方向に大きな空白が生じてしまう。
【０００５】
また、特許文献１に記載された携帯型情報端末装置は、２枚のＬＣＤパネルの表示面を対向させて開閉自在に枢着した構成であり、各ＬＣＤパネルの表示面はＬＣＤパネルを折り畳んだ状態で完全な死角となるので、データを表示する際には必ずＬＣＤパネルを展開しなければならず、実際にデータ表示に利用できるのは、ＬＣＤパネルを完全に展開した状態のみであり、物理的な表示領域の大きさを様々に調整することは全く不可能である。
【０００６】
【特許文献１】特開２００３−２９８７００号公報
【発明の開示】
【発明が解決しようとする課題】
【０００７】
そこで、本発明の課題は、前記従来技術の不都合を改善し、複数の表示パネルの組み合わせにより物理的な表示領域の大きさを様々に調整して拡張することができ、また、表示パネルを畳んだままの状態でもデータの表示が可能であって、データの表示領域を拡張した際に無駄な空白が生じにくい表示装置を提供することにある。
【課題を解決するための手段】
【０００８】
本発明は、複数の表示パネルをデータの表示領域として利用するようにした表示装置であり、前記課題を達成するため、特に、
表示装置の本体に、表示面を外側に向けた第一の表示パネルと第二の表示パネルを厚み方向に重合して配備し、少なくとも一方の表示パネルが表示装置の本体に対してスライド可能に装着されていることを特徴とする構成を有する。
【０００９】
第一の表示パネルと第二の表示パネルの表示面を外側に向けて配備しているので、第一の表示パネルと第二の表示パネルが完全に重合した状態、つまり、表示パネルを畳んだままの状態であっても、手前に位置する表示パネルにデータを表示することができる。
また、少なくとも一方の表示パネルが表示装置の本体に対してスライド可能に装着されているので、この表示パネルをスライドさせて他方の表示パネルに対する重合位置を調整することで、データの物理的な表示領域の大きさ、つまり、目視可能な表示パネルの総面積を様々に調整して拡張することができ、この結果、データの表示領域を拡張した際に無駄な空白が生じるといった弊害も改善される。
更に、表示パネルが表示装置の本体に対してスライドする構成であるため、表示パネルを揺動させて開く場合と比べ、表示パネルに接続したケーブルの屈曲が穏やかとなり、実質的なケーブルの耐久性が向上するといったメリットがある。
【００１０】
また、この表示装置には、少なくとも、前記一方の表示パネル（スライドする側の表示パネル）が他方の表示パネルに完全に重合する位置と前記一方の表示パネルが前記他方の表示パネルから完全に分離する位置とに前記一方の表示パネルを選択的に位置決め可能な位置決め手段と、
前記他方の表示パネルに対する前記一方の表示パネルの相対位置を検知する位置検知手段と、
前記位置検知手段の検知結果に基き、前記一方の表示パネルが前記他方の表示パネルに完全に重合した状態では手前に位置する表示パネル（スライドする側か否かに関わらず手前に位置する表示パネル）のみに対して表示制御を行う一方、前記一方の表示パネルが前記他方の表示パネルから完全に分離した状態では前記一方の表示パネルと前記他方の表示パネルに対して独立的に表示制御を行う表示制御手段を併設することが望ましい。
【００１１】
このような構成を適用した場合、２つの表示パネルが完全に重合した状態では、手前に位置する表示パネル、つまり、実際に目視可能な表示パネルに対してのみ表示制御が行われるので、無駄な電力の消費が防止される。
また、２つの表示パネルが重合せずに完全に分離した状態では、これらの表示パネルを一体物と見做さずに、一方の表示パネルと他方の表示パネルに対して独立的に表示制御が行われるので、２つの表示パネルの間隙によって生じる違和感が解消される。
【００１２】
更に、前記位置決め手段に、前記一方の表示パネルが前記他方の表示パネルと部分的に重合する位置で前記一方の表示パネルを任意に位置決めする位置決め機能を付与し、
前記表示制御手段には、前記位置検知手段の検知結果に基き、前記手前に位置する表示パネルおよび該手前に位置する表示パネルと重合しない部分の表示パネルの表示領域を複合して表示制御を行う縦横比調整機能を付与することが可能である。
【００１３】
このような構成を適用することで、２つの表示パネルが完全に重合した状態、および、２つの表示パネルが重合せずに完全に分離した状態に加え、一方の表示パネルが他方の表示パネルと部分的に重合する位置で前記一方の表示パネルを任意に位置決めすることが可能となり、データの物理的な表示領域の大きさ、要するに、目視可能な表示パネルの総面積を細かく調整できるようになる。２枚の表示パネルの一部が重合した状況下では、少なくとも、正面から表示パネルを目視した場合、第一の表示パネルと第二の表示パネルとの間の境目はなくなるので、手前に位置する表示パネルおよび該表示パネルと重合しない部分の表示パネルの表示領域を複合して表示制御を行うことで、両者を一体の表示領域として取り扱うことができる。従って、画像等のデータの縦横比に応じて２枚の表示パネルの重合状態、即ち、実質的な縦横比を調整することで、データの表示領域を有効に利用して無駄な空白の発生を防止することができる。
【００１４】
また、この表示装置の表示制御手段を双方向通信可能な情報処理装置に接続し、前記位置検知手段の検知結果に基き、前記一方の表示パネルが前記他方の表示パネルから完全に分離した際に前記一方の表示パネルと前記他方の表示パネルの何れか一方に送信データを表示し、もう一方に受信データを表示するように構成することができる。
【００１５】
テレビ電話やチャット等では相手側の情報処理装置から送信された画像や文書等のデータ、および、こちらの情報処理装置から送信する画像や文書等のデータを同時に表示する必要が生じる場合があるが、送信データを表示する表示パネルと受信データを表示する表示パネルを併用することにより十分な表示領域を確保することができる。
【００１６】
より具体的には、前記情報処理装置を携帯電話とし、前記第一の表示パネルと前記第二の表示パネルを前記携帯電話の表示手段として前記携帯電話に一体的に組み込むことができる。
【００１７】
携帯電話等を始めとする携帯式の情報端末では表示手段の大きさが著しく制限されるが、第一の表示パネルと第二の表示パネルを利用して表示領域を拡張することによって表示手段の実質的な大型化が可能であり、特に、携帯電話をテレビ電話として利用する際の画像表示やチャットに際しての文書データの表示が改善される。
【００１８】
また、前記位置決め手段は、前記他方の表示パネルに対する前記一方の表示パネルの重合位置を設定するための重合位置設定手段と、前記一方の表示パネルが他方の表示パネルに完全に重合する初期位置に前記一方の表示パネルを保持するロック手段と、前記ロック手段が解除された段階で前記重合位置設定手段により設定された重合位置まで前記一方の表示パネルを移動させる付勢手段とによって構成することができる。
【００１９】
ロック手段の解除操作により予め重合位置設定手段で設定された重合位置に表示パネルを簡単に移動させることができるので、表示パネルの展開を素早く行うことができ、特に、携帯電話等を始めとする携帯式の情報端末のように頻繁に使用される装置に適する。
【００２０】
前述した第一の表示パネルと第二の表示パネルは液晶表示器によって構成することができる。
【００２１】
２枚の表示パネルを重合して配備する必要上、表示パネルの厚みが薄い液晶表示器等を表示パネルとして利用することが望ましい。
【発明の効果】
【００２２】
本発明の表示装置は、第一の表示パネルと第二の表示パネルの表示面を外側に向けて配備しているので、第一の表示パネルと第二の表示パネルが完全に重合した状態、つまり、表示パネルを畳んだままの状態であっても、手前に位置する表示パネルにデータを表示することができる。
また、少なくとも一方の表示パネルが表示装置の本体に対してスライド可能に装着されているので、この表示パネルをスライドさせて他方の表示パネルに対する重合位置を調整することで、データの物理的な表示領域の大きさ、つまり、目視可能な表示パネルの総面積を様々に調整して拡張することができ、データの表示領域を拡張した際に無駄な空白が生じるといった弊害も改善される。
【発明を実施するための最良の形態】
【００２３】
次に、本発明を実施するための最良の形態について図面を参照して説明する。図１は本発明を適用した表示装置を一体的に組み込んだ携帯電話の一実施形態について示した正面図、図２は同実施形態の主要部の一部を構成する位置決め手段と位置検知手段の取り付け状態を示した平断面図、また、図３は其の側断面図である。
【００２４】
携帯電話１は双方向通信可能な情報処理装置の一種であり、図１に示されるように、筐体２上に操作パネル３とマイク４およびスピーカ５と送受信アンテナ６ならびにカメラ３６と表示装置７を備える。ジャック３７はスピーカとマイクを内蔵した図示しないヘッドセットを接続するためのもので、携帯電話１をテレビ電話等として使用する際に利用される。
【００２５】
表示装置７の主要部は、図３に示されるように、携帯電話１の表示手段として機能する液晶表示器からなる第一の表示パネル８と第二の表示パネル９とで構成され、このうち、第二の表示パネル９は、表示装置７の本体を兼ねる筐体２の一部を構成する背面側ケーシング１０に形成された矩形状の凹部１１に内嵌されるかたちで筐体２に一体的に固着されて組み込まれ、また、第一の表示パネル８は、筐体２の一部を構成する背面側ケーシング１０と正面側ケーシング１２との間の間隙に形成されたガイド溝１３，１４に沿って図３中の紙面垂直方向にスライド自在に保持されて筐体２に一体的に組み込まれている。
【００２６】
第一の表示パネル８と第二の表示パネル９は、何れも其の表示面を図３中で左側つまり表示装置７の本体を兼ねる筐体２を基準として表示面を外側に向けるかたちで厚み方向に重合して筐体２に装着され、第一の表示パネル８をスライドさせた状態で筐体２の正面から第二の表示パネル９が目視できるようになっている。また、ガイド溝１３，１４は、各々の底部に、背面側ケーシング１０と正面側ケーシング１２との間の間隙で形成されるスリット１５，１６を備える。なお、背面側ケーシング１０の裏面側に形成された凹部１７はバッテリー装着スペースであり、図示しないバッテリーパックが装着されるようになっている。
【００２７】
２つの表示パネルのうち筐体２に対してスライド可能に装着され且つ手前側に位置する一方の表示パネル、つまり、第一の表示パネル８には、図２に示されるようにして、舌片１８，１９が一体的に形成されている。舌片１８はガイド溝１３の底に形成されたスリット１５をくぐって筐体２の内部空間に突出し、また、舌片１９はガイド溝１４の底に形成されたスリット１６をくぐって筐体２の内部空間に突出している。
【００２８】
このうち一方の舌片１８は、正面側ケーシング１２に装着されたストッパ２０に当接する当接部１８ａと、背面側ケーシング１０に装着されたロックスイッチ２１に係合する切欠部１８ｂとを有し、図２に示されるように、第一の表示パネル８が第二の表示パネル９と完全に重合する位置において、ロックスイッチ２１の先端に設けられた楔状突起が切欠部１８ｂに突入して第一の表示パネル８を初期位置に保持するようになっている。
【００２９】
ロックスイッチ２１は手動操作によって図２中の上下方向に操作されるスライドスイッチであり、スプリング３９により、先端の楔状突起を切欠部１８ｂに突入させる方向に付勢されている。
【００３０】
ストッパ２０は、操作部２０ａと縮径部２０ｂおよび当接部２０ｃによって一体に形成され、正面側ケーシング１２に穿設されたスリット２２に当接部２０ｃを貫通させて取り付けられている。スリット２２上には一定の間隔を置いて拡径部２２ｂ，２２ｃ，２２ｄが形成され、これらの３つの位置の何れかにストッパ２０を安定的に保持できるようになっている。
【００３１】
また、他方の舌片１９は略Ｌ字型の断面形状を有し、図３に示されるように、その先端部が、筐体２の内部に配備された制御基板２３を回り込むようにして、制御基板２３の裏面側に延出している。
【００３２】
制御基板２３と背面側ケーシング１０との間には、背面側ケーシング１０と一体に成形された突起２４によってループ部分を軸支されると共に、其の一端を付勢力調整スイッチ２６に係止された捩りコイルバネ２５が配備され、捩りコイルバネ２５の他端が舌片１９の突起１９ａに係合して第一の表示パネル８を図２中の右から左に向かう方向に定常的に付勢している。
【００３３】
付勢力調整スイッチ２６は、背面側ケーシング１０の側面に穿設されたスリット２７に取り付けられており、スリット２７上に一定の間隔を置いて形成された拡径部２７ａ，２７ｂ，２７ｃの何れかの位置に安定的に保持されるようになっている。付勢力調整スイッチ２６の取り付け構造に関しては前述したストッパ２０の場合と実質的に同様である。
【００３４】
つまり、この実施形態においては、第一の表示パネル８を選択的に位置決めするための位置決め手段が、第一の表示パネル８の舌片１８，１９とストッパ２０およびロックスイッチ２１と捩りコイルバネ２５で構成され、このうち、ロックスイッチ２１の楔状突起および舌片１８の切欠部１８ｂが、第一の表示パネル８を初期位置に保持するロック手段として機能する。
【００３５】
また、ストッパ２０および舌片１８の当接部１８ａは、位置決め手段における重合位置設定手段として機能し、第二の表示パネル９に対する第一の表示パネル８の重合位置を規制する。つまり、第二の表示パネル９に対する第一の表示パネル８の重合位置は、ストッパ２０がスリット２２の拡径部２２ｂ，２２ｃ，２２ｄの何れと嵌合しているかで決まり、例えば、ストッパ２０をスリット２２の拡径部２２ｂに嵌合させた場合では、第一の表示パネル８が図２中の二点鎖線Ｂの位置までスライドした状態つまり第一の表示パネル８の右側２／３が第二の表示パネル９と重合した状態となり、また、ストッパ２０をスリット２２の拡径部２２ｃに嵌合させた場合では、第一の表示パネル８が図２中の二点鎖線Ｃの位置までスライドした状態つまり第一の表示パネル８の右側１／３が第二の表示パネル９と重合した状態となり、更に、ストッパ２０をスリット２２の拡径部２２ｄに嵌合させた場合では、第一の表示パネル８が図２中の二点鎖線Ｄの位置までスライドした状態、要するに、第一の表示パネル８が第二の表示パネル９から完全に分離した図８のような状態となる。
【００３６】
従って、この実施形態の位置決め手段には、図１に示されるように第一の表示パネル８が第二の表示パネル９と完全に重合する位置に第一の表示パネル８を位置決めする機能と、図８のように第一の表示パネル８が第二の表示パネル９から完全に分離する位置に第一の表示パネル８を位置決めする機能に加え、更に、第一の表示パネル８が第二の表示パネル９と部分的に重合する位置で第一の表示パネル８を任意の２箇所に位置決めする位置決め機能があることになる。
【００３７】
また、位置決め手段における付勢手段は捩りコイルバネ２５によって構成され、図２に示される状態からロックスイッチ２１が手動操作で下方に押されてロック手段が解除されると、第一の表示パネル８の舌片１８に形成された切欠部１８ｂからロックスイッチ２１の楔状突起が離脱し、舌片１９の突起１９ａを介して与えられる捩りコイルバネ２５の付勢力により、重合位置設定手段で設定された重合位置、つまり、舌片１８の当接部１８ａがストッパ２０に当接する重合位置にまで第一の表示パネル８が移動することになる。
【００３８】
この際、第一の表示パネル８の移動速度は、付勢力調整スイッチ２６の操作によって調整が可能である。つまり、付勢力調整スイッチ２６をスリット２７の拡径部２７ｃに嵌合させた状態では初期状態における捩りコイルバネ２５の弾性変形量が最大となるので第一の表示パネル８の移動速度は相対的に速く、また、付勢力調整スイッチ２６を拡径部２７ｂに嵌合させた状態（図２の状態）では初期状態における捩りコイルバネ２５の弾性変形量が中程度となるので、第一の表示パネル８の移動速度は中速となり、更に、付勢力調整スイッチ２６を拡径部２７ａに嵌合させた状態では初期状態における捩りコイルバネ２５の弾性変形量は最小となって、第一の表示パネル８の移動速度が低速となる。
【００３９】
第二の表示パネル９に対する第一の表示パネル８の相対位置を検知する位置検知手段は、図２に示されるように、スリット２２に形成された拡径部２２ｂ，２２ｃ，２２ｄの近傍に設置されたフォトカプラ等からなるセンサＳ１，Ｓ２，Ｓ３によって構成されている。これらのセンサＳ１，Ｓ２，Ｓ３は具体的には第一の表示パネル８に設けられた舌片１８を検知する位置に配置されており、図２に示されるように、第一の表示パネル８が第二の表示パネル９と完全に重合する初期位置ではセンサＳ１，Ｓ２，Ｓ３の全てからＯＦＦ信号が出力され、また、舌片１８の当接部１８ａがスリット２２上の拡径部２２ｂに嵌合したストッパ２０に当接した場合、つまり、第一の表示パネル８の右側２／３が第二の表示パネル９と重合した場合では、センサＳ１のみがＯＮとなる。更に、舌片１８の当接部１８ａがスリット２２上の拡径部２２ｃに嵌合したストッパ２０に当接した場合、要するに、第一の表示パネル８の右側１／３が第二の表示パネル９と重合した場合ではセンサＳ２のみがＯＮ、また、舌片１８の当接部１８ａがスリット２２上の拡径部２２ｄに嵌合したストッパ２０に当接した場合、つまり、第一の表示パネル８が第二の表示パネル９から完全に分離した図８のような状態ではセンサＳ３のみがＯＮとなる。
【００４０】
図４は制御基板２３上に配備された制御部２８の要部を簡略化して示した機能ブロック図である。制御部２８の主要部は、ＣＰＵ２９と、ＣＰＵ２９の動作プログラムを格納したＲＯＭ３０、および、送受信データの一時記憶に利用されるＲＡＭ３１等によって構成される。ＲＡＭ３１は不揮発性のもので、電子メールの内容等の保存も可能である。
【００４１】
文字入力キーを兼ねるテンキー等によって構成される操作パネル３からの信号は入出力回路３２を介してＣＰＵ２９に読み込まれ、また、マイク４を介して入力される音声信号は、アンプ３３と入出力回路３２を介してＣＰＵ２９に読み込まれる。何れの信号も、ＣＰＵ２９による信号処理を受けた後、送受信回路３４および送受信アンテナ６を介して最寄の基地局に送信され、この基地局を介して他の携帯電話等に送信される。また、送受信アンテナ６および送受信回路３４を介して入力された音声データはＣＰＵ２９による信号処理を受けた後、入出力回路３２およびアンプ３５を介してスピーカ５に出力され、送受信アンテナ６および送受信回路３４を介して入力された文字データや画像データは、ＣＰＵ２９による信号処理を受けた後、表示制御回路３８を介して第一の表示パネル８や第二の表示パネル９に表示出力される。
【００４２】
携帯電話１をテレビ電話として利用する際には、カメラ３６で所定周期毎に取り込まれる画像が入出力回路３２を介してＣＰＵ２９に読み込まれ、ＣＰＵ２９による信号処理を受けた後、送受信回路３４および送受信アンテナ６を介して文字データや音声データと同様に最寄の基地局経由で他の携帯電話等に送信される。このように、携帯電話１をテレビ電話として利用する際には、筐体２に実装されたマイク４やスピーカ５に代えてジャック３７に接続されたヘッドセットのマイクやスピーカが利用されることになるが、処理内容については本体内蔵のマイク４やスピーカ５を使用する場合と同様である。
【００４３】
また、携帯電話１には、基地局経由でインターネットに接続してホームページの画像を表示する機能、更には、文字データによる双方向通信いわゆるチャットを行う機能があるものとする。
【００４４】
また、この実施形態においては、位置検知手段として機能するセンサＳ１，Ｓ２，Ｓ３からのＯＮ／ＯＦＦ信号が入出力回路３２を介してＣＰＵ２９に読み込まれるようになっている。
【００４５】
携帯電話１を全体的に制御するＣＰＵ２９は表示装置７の表示制御手段を兼ね、このＣＰＵ２９によって図７に示されるような４つのパターンの表示モードが選択的に実行されるようになっている。
【００４６】
図７（ａ）に示される表示モードＡは、手前側に位置する表示パネルである第一の表示パネル８のみに対して表示制御を行う場合の表示態様であり、第二の表示パネル９は非作動の状態とされて通電を解除され、第一の表示パネル８のみが表示制御回路３８を介してＣＰＵ２９で駆動制御される。この場合の表示領域の大きさは全体として液晶表示器１枚分、例えば、Ｘ０ドット×Ｙ０ドットであり、第一の表示パネル８が第二の表示パネル９に完全に重合した場合の表示態様に相当する。
【００４７】
図７（ｂ）に示される表示モードＢは、第一の表示パネル８の全表示領域と第二の表示パネル９の右側１／３の表示領域に対して表示制御を行う場合の表示態様である。この場合の表示領域の大きさは全体として液晶表示器４／３枚分、例えば、Ｘ０ドット×４Ｙ０／３ドットであり、第一の表示パネル８の右側２／３が第二の表示パネル９に重合した場合の表示態様に相当する。つまり、手前側に位置する表示パネルである第一の表示パネル８の全表示領域と、第一の表示パネル８に重合しない部分の表示パネルの表示領域、要するに、第二の表示パネル９の右側１／３の表示領域を実質的に一体の表示領域と見做し、Ｘ０ドット×４Ｙ０／３ドットの表示制御が行われることになる。
【００４８】
図７（ｃ）に示される表示モードＣは、第一の表示パネル８の全表示領域と第二の表示パネル９の右側２／３の表示領域に対して表示制御を行う場合の表示態様である。この場合の表示領域の大きさは全体として液晶表示器５／３枚分、例えば、Ｘ０ドット×５Ｙ０／３ドットであり、第一の表示パネル８の右側１／３が第二の表示パネル９に重合した場合の表示態様に相当する。つまり、手前側に位置する表示パネルである第一の表示パネル８の全表示領域と、第一の表示パネル８に重合しない部分の表示パネルの表示領域、要するに、第二の表示パネル９の右側２／３の表示領域を実質的に一体の表示領域と見做し、Ｘ０ドット×５Ｙ０／３ドットの表示制御が行われることになる。
【００４９】
図７（ｄ）に示される表示モードＤは、第一の表示パネル８の全表示領域と第二の表示パネル９の全表示領域に対して独立的に表示制御を行う場合の表示態様であり、第一の表示パネル８が第二の表示パネル９から完全に分離した場合の表示態様に相当する。第一の表示パネル８の全表示領域と第二の表示パネル９の全表示領域に対して、各々、Ｘ０ドット×Ｙ０ドットの表示制御が行われることになる。
【００５０】
図５および図６は表示装置７の表示制御手段を兼ねるＣＰＵ２９によって所定周期毎に繰り返し実行されるデータ表示切替処理の概略を示したフローチャートである。
携帯電話１の全体的な制御については既に公知であるので説明を省略し、ここでは表示装置７の表示態様の切替制御についてのみ説明する。
【００５１】
表示制御手段として機能するＣＰＵ２９は、所定周期毎のデータ表示切替処理を開始した段階で、まず、携帯電話１の動作モードが通常モードとなっているか否かを判定する（ステップａ１）。
ここでいう通常モードとは、例えば、電子メールの作成や受信した電子メールの表示およびインターネットに接続して行われるホームページの画像表示等であって、画像の双方向通信を必要とするテレビ電話モードおよび文字データの双方向通信を必要とするチャットモードを除く全ての動作モードである。
携帯電話１の全体的な制御は他のタスク処理で実行されており、携帯電話１の動作モードについては、動作モードの選択時にＣＰＵ２９が前述した他のタスク処理においてＲＡＭ３１にセットするモード判定フラグの値に基いて判定可能であるものとする。
【００５２】
ここで、ステップａ１の判定結果が真となって携帯電話１の動作モードが通常モードであることが明らかとなった場合には、表示制御手段として機能するＣＰＵ２９は、更に、位置検知手段として機能するセンサＳ３からの信号がＯＮとなっているか否か、要するに、第一の表示パネル８が第二の表示パネル９から完全に分離して図８のような状態となっているか否かを判定する（ステップａ２）。
【００５３】
電子メールの作成や受信した電子メールの表示およびホームページの画像表示等を行う通常モードにおいては、基本的に、表示の対象となるデータは、作成中の電子メールや受信した電子メールのテキストあるいはホームページのテキストや画像データ等であり、送信データと受信データとを同時に表示する必要はなく、従って、表示領域を２分割するよりも、１画面内に一体的に表示する方が望ましい場合が多い。
【００５４】
よって、携帯電話１の動作モードが通常モードであるにも関わらずセンサＳ３からの信号がＯＮとなっている場合、つまり、第一の表示パネル８が第二の表示パネル９から完全に分離している場合には、ＣＰＵ２９は、取り敢えず、第二の表示パネル９を非作動とし、第一の表示パネル８のみに対してＸ０ドット×Ｙ０ドットの表示制御を行う表示モードＡを選択し（ステップａ５）、第一の表示パネル８に「画面の分割を止めて別の表示モードを選択して下さい」等のアラームメッセージを表示した後（ステップａ６）、センサＳ３からの信号がＯＦＦとなるのを待つ待機状態に入る（ステップａ７）。
【００５５】
第一の表示パネル８が第二の表示パネル９から完全に分離して図８のような状態となっている場合、ユーザは、ストッパ２０の操作部２０ａを指で操作し、スリット２２の拡径部２２ｄに嵌合しているストッパ２０を拡径部２２ｃまたは拡径部２２ｂの位置に嵌合させて第一の表示パネル８を部分的に第二の表示パネル９に重合させるか、あるいは、第一の表示パネル８の左端部を指で操作して図１に示される初期位置まで第一の表示パネル８を押し戻して第一の表示パネル８を完全に第二の表示パネル９に重合させることで、実質的な表示領域を一体化することができる。
【００５６】
このような操作を行うと、センサＳ３の位置から第一の表示パネル８の舌片１８が図２中で右側に退避し、センサＳ３からの信号がＯＦＦとなる。
【００５７】
ステップａ７の判定処理でセンサＳ３からの信号がＯＦＦとなったことを検知したＣＰＵ２９は、次いで、位置検知手段として機能するセンサＳ２がＯＮとなっているか否かを判定する（ステップａ３）。
【００５８】
センサＳ２がＯＮとなっている場合には、舌片１８の当接部１８ａがスリット２２上の拡径部２２ｃに嵌合したストッパ２０に当接していること、つまり、第一の表示パネル８が図２中の二点鎖線Ｃの位置までスライドして第一の表示パネル８の右側１／３が第二の表示パネル９と重合した状態にあることを意味するので、縦横比調整機能を備えた表示制御手段として機能するＣＰＵ２９は、第一の表示パネル８の全表示領域と第二の表示パネル９の右側２／３の表示領域に対して表示制御を行う表示モードＣを選択し（図７（ｃ）参照）、手前側に位置する表示パネルである第一の表示パネル８の全表示領域と、第一の表示パネル８に重合しない部分の表示パネルの表示領域、要するに、第二の表示パネル９の右側２／３の表示領域を複合して実質的に一体の表示領域と見做し、例えば、Ｘ０ドット×５Ｙ０／３ドットの表示制御を行い、実質的に一体化された表示領域に作成中の電子メールや受信した電子メールのテキストあるいはホームページのテキストや画像データ等を表示する（ステップａ４）。
【００５９】
一方、センサＳ２がＯＦＦとなっていてステップａ３の判定結果が偽となった場合には、表示制御手段として機能するＣＰＵ２９は、更に、位置検知手段として機能するセンサＳ１がＯＮとなっているか否かを判定する（ステップａ８）。
【００６０】
センサＳ１がＯＮとなっている場合には、舌片１８の当接部１８ａがスリット２２上の拡径部２２ｂに嵌合したストッパ２０に当接していること、つまり、第一の表示パネル８が図２中の二点鎖線Ｂの位置までスライドして第一の表示パネル８の右側２／３が第二の表示パネル９と重合した状態にあることを意味するので、縦横比調整機能を備えた表示制御手段として機能するＣＰＵ２９は、第一の表示パネル８の全表示領域と第二の表示パネル９の右側１／３の表示領域に対して表示制御を行う表示モードＢを選択し（図７（ｂ）参照）、手前側に位置する表示パネルである第一の表示パネル８の全表示領域と、第一の表示パネル８に重合しない部分の表示パネルの表示領域、要するに、第二の表示パネル９の右側１／３の表示領域を複合して実質的に一体の表示領域と見做し、例えば、Ｘ０ドット×４Ｙ０／３ドットの表示制御を行い、実質的に一体化された表示領域に作成中の電子メールや受信した電子メールのテキストあるいはホームページのテキストや画像データ等を表示する（ステップａ９）。
【００６１】
また、センサＳ１がＯＦＦとなっていてステップａ８の判定結果が偽となった場合には、ロックスイッチ２１の先端に設けられた楔状突起が第一の表示パネル８における舌片１８の切欠部１８ｂに突入して第一の表示パネル８を初期位置に保持していること、つまり、第一の表示パネル８が図１に示されるようにして第二の表示パネル９と完全に重合した状態にあることを意味するので、縦横比調整機能を備えた表示制御手段として機能するＣＰＵ２９は、第二の表示パネル９を非作動の状態として手前側に位置する表示パネルである第一の表示パネル８のみに対してＸ０ドット×Ｙ０ドットの表示制御を行う表示モードＡを選択し（図７（ａ）参照）、第一の表示パネル８に作成中の電子メールや受信した電子メールのテキストあるいはホームページのテキストや画像データ等を表示する（ステップａ１０）。
【００６２】
つまり、電子メールの作成や受信した電子メールの表示およびホームページの画像表示等を行う通常モードにおいては、ユーザが、スリット２２に対するストッパ２０の嵌合位置を変えることで第二の表示パネル９に対する第一の表示パネル８の重合状態を調整し、位置検知手段として機能するセンサＳ１，Ｓ２，Ｓ３が第二の表示パネル９に対する第一の表示パネル８の重合状態を検知することでＯＮ／ＯＦＦの信号状態を変化させ、縦横比調整機能を備えた表示制御手段として機能するＣＰＵ２９が、センサＳ１，Ｓ２，Ｓ３からの信号すなわち検知結果に基いて、図７（ａ）に示されるような表示モードＡ、または、図７（ｂ）に示されるような表示モードＢ、あるいは、図７（ｃ）に示されるような表示モードＣの何れかを選択することになる。
【００６３】
この実施形態では、携帯電話１の動作モードに関わりなく機械的な操作で第二の表示パネル９に対する第一の表示パネル８の重合状態を調整することが可能であり、例えば、ホームページの画像表示等の縦横比に応じて自動的に表示モードＡ，表示モードＢ，表示モードＣが切り替わるわけではないが、図５および図６に示されるデータ表示切替処理は所定周期毎に繰り返し実行される処理であるから、ユーザは、実際の画像等の表示状態を参照しながらストッパ２０の嵌合位置を調整して適宜に表示モードＡ，表示モードＢ，表示モードＣを選択することができる。
【００６４】
例えば、ホームページの画像等が縦長である場合には横方向に表示領域を拡張しても無意味であるから、第一の表示パネル８を第二の表示パネル９に完全に重合させて表示モードＡを選択し、また、ホームページの画像等が横長である場合には、その縦横比に応じて横方向に表示領域を拡張するために第一の表示パネル８の右側２／３もしくは１／３を第二の表示パネル９に部分的に重合させて表示モードＢあるいは表示モードＣを選択するといったことが可能であり、このような操作によって、データの表示領域を拡張した際に無駄な空白が生じるといった問題を解消することができる。
【００６５】
また、第一の表示パネル８と第二の表示パネル９が完全に重合した状態、つまり、表示パネルを畳んだままの状態であっても、手前に位置する第一の表示パネル８にデータを表示することができるので、狭い場所あるいは混雑した場所等での携帯電話１の使用に際し、スライドして側方に突出した第一の表示パネル８が他の物や人に当たって損傷するのを防止するといった観点から、表示対象となる画像の縦横比とは無関係に、第一の表示パネル８を第二の表示パネル９に完全に重合させたままで携帯電話１を使用するといったことや、更には、電力消費の軽減化の観点から、第一の表示パネル８を第二の表示パネル９に完全に重合させたまま第一の表示パネル８のみの表示で携帯電話１を使用するといったことも可能である。
【００６６】
これに対し、ステップａ１の判定結果が偽となった場合には、携帯電話１の動作モードがテレビ電話モードもしくはチャットモード等となっており、送信データと受信データを同時に表示する必要があることを意味するので、表示制御手段として機能するＣＰＵ２９は、まず、位置検知手段として機能するセンサＳ３からの信号がＯＮとなっているか否か、要するに、第一の表示パネル８が第二の表示パネル９から完全に分離して図８のような状態となっているか否かを判定する（ステップａ１１）。
【００６７】
テレビ電話モードやチャットモード等では表示領域を１つに纏めて１画面内に一体的にデータを表示するよりも表示領域を２分割して受信データや送信データを分けて表示する方が好都合な場合が多い。
従って、携帯電話１の動作モードがテレビ電話モードやチャットモード等であるにも関わらずセンサＳ３からの信号がＯＦＦとなっている場合、つまり、第一の表示パネル８が第二の表示パネル９と部分的もしくは全面的に重合している場合には、ＣＰＵ２９は、取り敢えず、第二の表示パネル９を非作動とし、第一の表示パネル８に対してＸ０ドット×Ｙ０ドットの表示制御を行う表示モードＡを選択し（ステップａ１３）、第一の表示パネル８に「画面の重合を止めて画面を分離した表示モードを選択して下さい」等のアラームメッセージを表示した後（ステップａ１４）、センサＳ３からの信号がＯＮとなるのを待つ待機状態に入る（ステップａ１５）。
表示モードＡを選択するのは、手前側に位置する第一の表示パネル８を利用して表示を行うことで、表示パネルの重合状態に関わりなくアラームメッセージの全文を的確に表示するためである。
【００６８】
第一の表示パネル８が第二の表示パネル９から完全に分離していない場合、ユーザは、ストッパ２０の操作部２０ａを指で操作してストッパ２０を拡径部２２ｄの位置に嵌合させ、舌片１８の当接部１８ａを拡径部２２ｄに嵌合したストッパ２０に当接させることで第一の表示パネル８を第二の表示パネル９から完全に分離させるようにする。
また、この時点で第一の表示パネル８が第二の表示パネル９と完全に重合した初期位置にある場合には、ストッパ２０の位置調整に加え、ロックスイッチ２１を押し下げて第一の表示パネル８のリリース操作を行うようにする。
【００６９】
このような操作を行うと、舌片１９の突起１９ａを介して与えられる捩りコイルバネ２５の付勢力により、舌片１８の当接部１８ａがストッパ２０に当接する位置、つまり、第一の表示パネル８が第二の表示パネル９から完全に分離する図８のような位置にまで第一の表示パネル８が移動することになる。
【００７０】
この結果、センサＳ３の位置に第一の表示パネル８の舌片１８が到達してセンサＳ３からの信号がＯＮに変化し、この変化をステップａ１５の判定処理で検知したＣＰＵ２９が、第一の表示パネル８の全表示領域と第二の表示パネル９の全表示領域の各々に対してＸ０ドット×Ｙ０ドットの表示制御を行う表示モードＤを選択し（図７（ｄ）参照）、例えば、第一の表示パネル８には相手の顔画像（テレビ電話モードの場合）や相手からのテキストデータ（チャットモードの場合）等の受信データを表示する一方、第二の表示パネル９に自分の顔画像（テレビ電話モードの場合）や自分が作成したテキストデータ（チャットモードの場合）等の送信データを表示する制御を行う（ステップａ１２）。
【００７１】
前述した通り、この実施形態では、電子メールの作成や受信した電子メールの表示およびインターネットに接続して行われるホームページの画像表示等といった通常モード、あるいは、テレビ電話やチャット等を始めとする双方向通信モードといった携帯電話１の内部的な動作モードとは関わりなく、機械的な操作で第二の表示パネル９に対する第一の表示パネル８の重合状態あるいは分離状態を調整することが可能であり、例えば、テレビ電話モードやチャットモード等の動作モードの選択操作に応じて自動的に表示モードＤへの切り替えが行われるわけではないが、ユーザ自身は選択すべき動作モードを知っているわけであるから、テレビ電話モードやチャットモード等の双方向通信の動作モードを選択する前に、予め、ユーザが重合位置設定手段であるストッパ２０を拡径部２２ｄの位置に嵌合させて表示パネルの展開位置をプリセットしておき、実際の使用に際してロックスイッチ２１を押し下げて第一の表示パネル８を図１に示されるような初期位置から図８の位置に一気にスライドさせるといった操作も可能である。
【００７２】
以上に述べた通り、この実施形態は、表示制御手段として機能するＣＰＵ２９が、位置検知手段として機能するセンサＳ１，Ｓ２，Ｓ３からのＯＮ／ＯＦＦ信号に基いて第二の表示パネル９に対する第一の表示パネル８の重合状態を検知し、第一の表示パネル８が第二の表示パネル９に完全に重合した状態では手前に位置する第一の表示パネル８のみに対して表示制御を行う一方、第一の表示パネル８が第二の表示パネル９から完全に分離した状況下においては第一の表示パネル８に受信データを独立的に表示すると共に第二の表示パネル９に送信データを独立的に表示し、更に、第一の表示パネル８が第二の表示パネル９と部分的に重合した状態では其の重合状態に応じた実質的な表示面積に合わせてデータの表示処理を行うもので、最終的な表示態様は、携帯電話１自体の動作モードではなく、ユーザが重合位置設定手段であるストッパ２０をスリット２２の拡径部２２ｂ，２２ｃ，２２ｄの何れの位置にセットしたかで一義的に決定されるが、これとは逆に、携帯電話１自体の動作モードに応じて第二の表示パネル９に対する第一の表示パネル８の重合状態を自動調整する構成を採ることも可能である。
具体的には、例えば、第一の表示パネル８の一側にラックを形成して溝１３のスリット１５から筐体２の内部空間に突出させ、筐体２に内蔵したステッピングモータのピニオンをラックに噛合させて第一の表示パネル８に送りを掛けるといった構成が考えられる。
この場合、図１に示される第一の表示パネル８の位置を初期位置とし、ＣＰＵ２９の内部処理で携帯電話１自体の動作モードを判定して、通常モードの場合にはステッピングモータの非作動状態を保持し、また、テレビ電話モードやチャットモード等の双方向通信モードが選択された場合には、第一の表示パネル８を図８の位置に移動させるに必要とされる数の駆動指令パルスをステッピングモータに出力するようにすればよく、第二の表示パネル９に対する第一の表示パネル８の重合状態を特定する駆動指令パルスの数は何種類でもＲＯＭ３０等に記憶させておくことが可能であり、第一の表示パネル８を第二の表示パネル９に対して部分的に重合させる態様にも対処できる。
【図面の簡単な説明】
【００７３】
【図１】本発明を適用した表示装置を一体的に組み込んだ携帯電話の一実施形態について示した正面図である（第一の表示パネルが第二の表示パネルと完全に重合した状態で示した図）。
【図２】同実施形態の主要部の一部を構成する位置決め手段と位置検知手段の取り付け状態を示した平断面図である。
【図３】同実施形態の主要部の一部を構成する位置決め手段と位置検知手段の取り付け状態を示した側断面図である。
【図４】同実施形態における表示装置の表示制御手段を兼ねる携帯電話の制御部の要部を簡略化して示した機能ブロック図である。
【図５】同実施形態におけるデータ表示切替処理の概略を示したフローチャートである。
【図６】同実施形態におけるデータ表示切替処理の概略を示したフローチャートの続きである。
【図７】同実施形態の表示モードを示した概念図で、図７（ａ）は第一の表示パネルのみに対して表示制御を行う場合の表示態様、図７（ｂ）は第一の表示パネルの全表示領域と第二の表示パネルの右側１／３の表示領域に対して表示制御を行う場合の表示態様、図７（ｃ）は第一の表示パネルの全表示領域と第二の表示パネルの右側２／３の表示領域に対して表示制御を行う場合の表示態様、図７（ｄ）は第一の表示パネルの全表示領域と第二の表示パネルの全表示領域に対して独立的に表示制御を行う場合の表示態様について示している。
【図８】同実施形態の携帯電話について示した正面図である（第一の表示パネルが第二の表示パネルから完全に分離した状態で示した図）。
【符号の説明】
【００７４】
１  携帯電話（情報処理装置）
２  筐体（表示装置の本体）
３  操作パネル
４  マイク
５  スピーカ
６  送受信アンテナ
７  表示装置
８  第一の表示パネル（携帯電話の表示手段，液晶表示器）
９  第二の表示パネル（携帯電話の表示手段，液晶表示器）
１０  背面側ケーシング
１１  凹部
１２  正面側ケーシング
１３，１４  ガイド溝
１５，１６  スリット
１７  凹部
１８  舌片
１８ａ  当接部（重合位置設定手段）
１８ｂ  切欠部（ロック手段の一部）
１９  舌片
１９ａ  突起
２０  ストッパ（重合位置設定手段）
２０ａ  操作部
２０ｂ  縮径部
２０ｃ  当接部
２１  ロックスイッチ（ロック手段の一部）
２２  スリット
２２ｂ，２２ｃ，２２ｄ  拡径部
２３  制御基板
２４  突起
２５  捩りコイルバネ
２６  付勢力調整スイッチ
２７  スリット
２７ａ，２７ｂ，２７ｃ  拡径部
２８  制御部
２９  ＣＰＵ（表示制御手段）
３０  ＲＯＭ
３１  ＲＡＭ
３２  入出力回路
３３  アンプ
３４  送受信回路
３５  アンプ
３６  カメラ
３７  ジャック
３８  表示制御回路
３９  スプリング
Ｓ１  センサ（位置検知手段）
Ｓ２  センサ（位置検知手段）
Ｓ３  センサ（位置検知手段）
【図１】
2006189590.tif 000003
【図２】
2006189590.tif 000004
【図３】
2006189590.tif 000005
【図４】
2006189590.tif 000006
【図５】
2006189590.tif 000007
【図６】
2006189590.tif 000008
【図７】
2006189590.tif 000009
【図８】
2006189590.tif 000010